【手続補正書】
【提出日】平成22年10月29日(2010.10.29)
【手続補正１】
【補正対象書類名】特許請求の範囲
【補正対象項目名】全文
【補正方法】変更
【補正の内容】
【特許請求の範囲】
【請求項１】
少なくとも燃料ガスと酸化剤ガスとが供給されて発電する燃料電池スタックと、
前記燃料ガスを供給する燃料ガス供給手段と前記燃料電池スタックとを接続し、前記燃料ガスが通流する前記燃料電池スタックの上流側の配管に設けられた上流側遮断弁と、
前記燃料電池スタックからの燃料オフガスが通流する前記燃料電池スタックの下流側の配管に設けられた下流側遮断弁と、
前記上流側遮断弁と前記下流側遮断弁との間に設けられる前記配管において、当該配管の車幅方向両側に配置された保護部材と、を備え、
前記保護部材は、少なくとも前記酸化剤ガスを加湿流体によって加湿する加湿器、および前記加湿器に取り付けられた前記酸化剤ガス用の補機の少なくとも一つであることを特徴とする燃料電池車両。
【請求項２】
前記保護部材が前記加湿器を含んでおり、
少なくとも一部の前記配管は、前記加湿器を構成する筐体の車幅方向最外部よりも内側に配置されていることを特徴とする請求項１に記載の燃料電池車両。
【請求項３】
前記保護部材は、その長手方向の長さが、当該長手方向における、少なくとも一部の前記配管の長さよりも長くされていることを特徴とする請求項１または請求項２のいずれか１項に記載の燃料電池車両。
【請求項４】
前記上流側遮断弁は、前記燃料電池スタックに供給される前記燃料ガスの圧力を、前記酸化剤ガスの系統からの信号圧によって調整するレギュレータであり、
前記レギュレータは、前記信号圧が入力されないときに、前記燃料電池スタックに供給される前記燃料ガスの通流を遮断することを特徴とする請求項１から請求項３のいずれか１項に記載の燃料電池車両。
【請求項５】
少なくとも一部の前記配管、前記加湿器、および前記補機は、上床部と下床部とを含む上凸形状のフロアパネル内に配置されており、前記配管は、前記下床部よりも上に配置されていることを特徴とする請求項１から請求項４のいずれか１項に記載の燃料電池車両。
【手続補正２】
【補正対象書類名】明細書
【補正対象項目名】０００６
【補正方法】変更
【補正の内容】
【０００６】
前記目的を達成するために、本発明の燃料電池車両は、少なくとも燃料ガスと酸化剤ガスとが供給されて発電する燃料電池スタックと、前記燃料ガスを供給する燃料ガス供給手段と前記燃料電池スタックとを接続し、前記燃料ガスが通流する前記燃料電池スタックの上流側の配管に設けられた上流側遮断弁と、前記燃料電池スタックからの燃料オフガスが通流する前記燃料電池スタックの下流側の配管に設けられた下流側遮断弁と、前記上流側遮断弁と前記下流側遮断弁との間に設けられる前記配管において、当該配管の車幅方向両側に配置された保護部材と、を備え、前記保護部材は、少なくとも前記酸化剤ガスを加湿流体によって加湿する加湿器、および前記加湿器に取り付けられた前記酸化剤ガス用の補機の少なくとも一つであることを特徴とする。
ここで、「燃料ガスが通流する燃料電池スタックの上流側の配管」というのは、燃料ガスが通流する配管の他、燃料ガスが通流する配管に連通している配管がある。
【手続補正３】
【補正対象書類名】明細書
【補正対象項目名】０００７
【補正方法】変更
【補正の内容】
【０００７】
この燃料電池車両によれば、燃料ガスを供給する燃料ガス供給手段と燃料電池スタックとを接続し、燃料ガスが通流する燃料電池スタックの上流側の配管に設けられた上流側遮断弁と、燃料電池スタックからの燃料オフガスが通流する燃料電池スタックの下流側の配管に設けられた下流側遮断弁との間に設けられる配管において、当該配管の車幅方向両側に保護部材が配置されているので、衝突（側突）等によって車体に変形が生じた場合にも、保護部材で好適に保護されるようになる。したがって、必要以上の補強を不要としながらも、燃料ガスや燃料オフガスが通流する配管を好適に保護することができ、重衝突においてもガス漏れタフネスをより向上することが可能となる。
【手続補正４】
【補正対象書類名】明細書
【補正対象項目名】０００８
【補正方法】変更
【補正の内容】
【０００８】
しかも、前記上流側遮断弁と前記下流側遮断弁との間における配管が保護部材で保護されることとなるので、他の部分に比べて燃料ガスの量が多い領域、つまり、燃料電池スタックを含んだ領域において、燃料ガスや燃料オフガスの漏れを好適に阻止することができる。
【手続補正５】
【補正対象書類名】明細書
【補正対象項目名】００１４
【補正方法】変更
【補正の内容】
【００１４】
また、本発明は、前記上流側遮断弁が、前記燃料電池スタックに供給される前記燃料ガスの圧力を、前記酸化剤ガスの系統からの信号圧によって調整するレギュレータであり、前記レギュレータは、前記信号圧が入力されないときに、前記燃料電池スタックに供給される前記燃料ガスの通流を遮断する構成とするのがよい。
【手続補正６】
【補正対象書類名】明細書
【補正対象項目名】００１５
【補正方法】変更
【補正の内容】
【００１５】
この燃料電池車両によれば、酸化剤ガスの系統の破損等によって、レギュレータに入力されるはずの信号圧が入力されないという事態が生じた場合には、レギュレータが自動的に閉じられるようになり、レギュレータの下流側の燃料電池スタックに対する燃料ガスの供給が、好適に遮断される。
したがって、ガス漏れタフネスをより向上することが可能となる。
【手続補正７】
【補正対象書類名】明細書
【補正対象項目名】００２３
【補正方法】変更
【補正の内容】
【００２３】
そして、本実施形態では、図２に示すように、燃料電池スタック１０よりも上流側の上流側遮断弁として燃料電池スタック１０に近い側の二次遮断弁２２（レギュレータ２２Ａ）、掃気ガス導入弁４１と、燃料電池スタック１０よりも下流側の下流側遮断弁として機能するパージ弁２６、掃気ガス排出弁２７と、の間に設けられる配管（例えば、図３において太線で図示した燃料ガスが通流する配管２２ａ）の車幅方向両側に、保護部材を備えている。
ここで、保護部材としては、加湿器３２や加湿器３２に接続された酸化剤ガス用の補機が挙げられる。これらの加湿器３２や補機についての詳細は後記する。
また、上流側遮断弁と下流側遮断弁との間に設けられる配管（後記する配管２２ａ、２４ｂ等）は、図３（ａ）（ｂ）に示すように、燃料電池スタック１０のエンドプレート１０ａよりも後方側に集中して配置されている。
【手続補正８】
【補正対象書類名】明細書
【補正対象項目名】００３８
【補正方法】変更
【補正の内容】
【００３８】
また、本実施形態では、加湿器３２の筐体を平面視で見たときの側部３２’（図３（ａ）参照）よりも内側に、配管２２ａのほとんどの部分が位置するように（平面視で見たときに加湿器３２の筺体に配管２２ａの大部分が重なるように）配管２２ａを配置してある。したがって、配管２２ａは、当該配管２２ａの車幅方向両側に位置する導入部３２ａおよび加湿器３２の筺体によって、衝突（側突）等による周囲からの衝撃等に対して、二重に保護されるようになっている。
【手続補正９】
【補正対象書類名】明細書
【補正対象項目名】００６０
【補正方法】変更
【補正の内容】
【００６０】
以上説明した本実施形態の燃料電池車両によれば、燃料電池スタック１０からみて最初の上流側遮断弁である二次遮断弁２２、掃気ガス導入弁４１と、燃料電池スタック１０からのアノードオフガスが通流する下流側の配管に設けられたパージ弁２６、掃気ガス排出弁２７と、の間に設けられた配管（例えば配管２２ａ）において、当該配管の車幅方向両側に、保護部材としての加湿器３２や加湿器３２に固定される補機（導入口部材３２ｂ）を備えているので、衝突（側突）等による車両の変形が生じた場合にも、前記配管（例えば配管２２ａ）をこれらの保護部材で好適に保護することができる。したがって、必要以上の補強を不要としながらも、燃料ガスや燃料オフガスが通流する配管を好適に保護することができ、重衝突においてもガス漏れタフネスをより向上することが可能となる。
【手続補正１０】
【補正対象書類名】明細書
【補正対象項目名】００６６
【補正方法】変更
【補正の内容】
【００６６】
前記実施形態では、二次遮断弁２２、掃気ガス導入弁４１と、燃料電池スタック１０からの燃料オフガスが通流する下流側の配管に設けられた下流側遮断弁との間に設けられるすべての配管の車幅方向両側に保護部材を備える構成としたが、これに限られることはなく、前記配管うち、少なくとも一部の配管の車幅方向片側に保護部材を備えるように構成してもよい。この場合にも、衝突（側突）等による車両の変形が生じた際に、燃料ガスや燃料オフガスが通流する少なくとも一部の配管を保護部材で好適に保護することができる。
【手続補正１１】
【補正対象書類名】明細書
【補正対象項目名】００６８
【補正方法】変更
【補正の内容】
【００６８】
また、保護部材として、加湿器３２や加湿器３２に接続された酸化剤ガス用の導入口部材３２ｂを例示したが、加湿器３２に固定されるその他の酸化剤ガス用の部材や加湿器３２に固定されるブラケット等の部材を保護部材として用いてもよい。また、ブラケット等の部材が保護部材として機能するように、ブラケット等の部材の一部を配管の車幅方向両側へ突出させてもよい。